(57)【要約】【課題】  物品を簡単に仕分けて収容し、この仕分けて収容したままの物品を外部から見分けやすく、回転操作や取り出し操作が簡単で、加工性，組付性，経済性に優れ、要介護者，身体障害者でも簡単に操作ができる回転式物品仕分けテーブルを提供する。【解決手段】  支柱１と、支柱１に軸方向に沿って回転自在に取付けた一つ又は複数の支持板２，３，４と、各支持板２，３，４の上面に円周方向に沿って起立した複数の仕切り板Ａ，Ｂ，Ｃ，Ｄと、各仕切り板Ａ，Ｂ，Ｃ，Ｄ間に隔成されたスペースたる複数の物品収納エリアａ，ｂ，ｃ，ｄとからなる。【選択図】  図１
0003124089.tif 000002
【実用新案登録請求の範囲】
【請求項１】
支柱１と、支柱１に軸方向に沿って回転自在に取付けた一つ又は複数の支持板２，３，４と、各支持板２，３，４の上面に円周方向に沿って起立した複数の仕切り板Ａ，Ｂ，Ｃ，Ｄと、各仕切り板間に隔成された複数の物品収納エリアａ，ｂ，ｃ，ｄとからなる回転式物品仕分けテーブル。
【請求項２】
支柱１に水平な保持板５を固定し，この保持板５の上面に円周方向に沿って複数のベアリング６を回転自在に設け，上記支持板２の下面を上記ベアリング６上に回転自在に当接させている請求項１の回転式物品仕分けテーブル。
【請求項３】
複数の支持板２，３，４のうち、上方の支持板の直径を下方の支持板の直径より順次小さくしている請求項１又は２の回転式物品仕分けテーブル。
【請求項４】
各支持板２，３，４の内周にベアリング７を設け、このベアリング７を介して各支持板２，３，４が支柱１の外周に回転自在に支持されている請求項１又は３の回転式物品仕分けテーブル。
【請求項５】
各仕切り板Ａ，Ｂ，Ｃ，Ｄの各上面に下り勾配の傾斜面を形成して中心方向に向けて座高を徐々に低くさせている請求項１，２，３，又は４の回転式物品仕分けテーブル。
【請求項６】
支柱１の下端に固定式の台８又はキャスタ９を取付けた台１０が連結されている請求項１，２，３，４又は５の回転式物品仕分けテーブル。
【考案の詳細な説明】
【技術分野】
【０００１】
本考案は、簡単に物品を整理でき、容易に直ぐ分別して取り出しでき、特に、要介護者、身体障害者等でもベッドの上から所望の物品を取り出しできる回転式物品仕分けテーブルに関するものである。
【背景技術】
【０００２】
一般に、テーブル、机等には複数の引出しが設けられていて、この引出し内には使用する人の都合によって、筆記用具、食器、工具その他の物品が仕分けられて収容されているのが普通である。
【０００３】
ところが、健康な人であっても、外部から引出しの中が見えないので、どの引出しにどのような物品を収容したか忘れてしまう場合がある。
【０００４】
また、仮に、覚えていて、一つの引出しに多数の物品を収容していると、その引出しの中で物品が混在している為、引出しを開いても直ちに所望の物品を選び出すことが出来ない場合がある。
【０００５】
他方、病人、要介護者等がベッドの中でそばに置いてあるテーブルの引出しから食器、筆記具等を取り出すには相当困難な場合がある。
【０００６】
そこで、例えば、特許文献１に示すような、引出しを使用せず、簡単に物品を仕分けて収容できる回転収納棚が開発されている。
【特許文献１】実開平７‐２７３３９号公報（図１，要約参照）
【考案の開示】
【考案が解決しようとする課題】
【０００７】
上記特許文献１に示す回転収納棚は、ベース台と、ベース台上に設けた回転板と、回転板の上に平面十字状に組み立てた支持板と、各支持板で囲まれた空間に棚板を多段に設け、各空間に所望の物品を仕分けて収容するようにしたものである。
【０００８】
しかしながら、上記の回転収納棚は、回転板上に起立する複数の支柱で周囲が支持されており、上端には天板が設けられているので強度がある反面、これらの支柱や天板が邪魔になって外部から収容している物品を見分けずらいという不具合がある。
【０００９】
更に、多段に組み立てた棚板は、一つの回転板を回転するだけで全部同時に同一方向に回転できるが、逆に必要のない棚板も回転することになり、その結果重量が重く、要介護者や身体障害者等にとっては操作が困難となる不具合がある。
【００１０】
また，各棚板は、支持板に設けた取付具を介して取付けてあるため、構造が複雑となり、加工性，組付性、経済性弐おいて不利である。
【００１１】
そこで、本考案の目的は、物品を簡単に仕分けて収容し、この仕分けて収容したままの物品を外部から見分けやすく、回転操作や取り出し操作が簡単で、加工性,組付性、経済性に優れ、要介護者、身体障害者でも簡単に操作ができる回転式物品仕分けテーブルを提供することである。
【課題を解決するための手段】
【００１２】
上記の目的を達成するため、本考案の手段は、支柱と、支柱に軸方向に沿って回転自在に取付けた一つ又は複数の支持板と、各支持板の上面に円周方向に沿って起立した複数の仕切り板と、各仕切り板間に隔成された複数の物品収納エリアとからなるものである。
【００１３】
この場合、支柱に水平な保持板を固定し，この保持板の上面に円周方向に沿って複数のベアリングを回転自在に設け，上記支持板の下面を上記ベアリング上に回転自在に当接させているのが好ましい。
【００１４】
同じく、複数の支持板のうち、上方の支持板の直径を下方の支持板の直径より順次小さくしているのが好ましい。
【００１５】
更に、各支持板の内周にベアリングを設け、このベアリングを介して各支持板が支柱の外周に回転自在に支持されていても良い。
【００１６】
また、各仕切り板の各上面に下り勾配の傾斜面を形成して中心方向に向けて座高を徐々に低くさせているのが好ましい。
【００１７】
更に、支柱の下端に固定式の台又はキャスタを取付けた台が連結されているのが好ましい。
【考案の効果】
【００１８】
本考案によれば、次の効果を達成できる。
【００１９】
１）各請求項の考案によれば、支持板上に仕切り板で区分けされた物品収納エリアがあるので、各エリアに複数の物品を仕分けて収容できる。
【００２０】
２）同じく、支持板は支柱に支持されているだけであるから、支持板上の物品は直接外部からよく見ることが出来、物品をみながら簡単に支持板を回転して手前に移動できる。
【００２１】
３）同じく,基本的には、支柱と、支持板と、仕切り板と、ベアリングとで構成しているから構造が簡単でコンパクトであり、設置スペースに制約されず、加工性,組付性、経済性に優れている。
【００２２】
４）請求項３の考案によれば、上方の支持板が順次下方の支持板より直径が小さくなるように成形されているから、上方の支持板上の物品が下方の支持板の周囲でさえぎられること斜め上方から下方の支持板上の物品を見分けることができる。
【００２３】
５）同じく、請求項５の考案によれば、中心方向に向けて仕切り板の座高が低くなるように成形されているから、その分中心側に収容されている物品を見分けやすくなっている。
【考案を実施するための最良の形態】
【００２４】
以下本考案の実施の一例を図に基づいて説明するが、図１および図３は、本発明の各実施の一例を示し、図１の場合は、支持板２が一つである一段式の実施の形態を示し、図３の場合は、支持板２，３，４を三つ設けた多段式の実施の形態を示す。
【００２５】
即ち、本発明の基本形態は、支柱１と、支柱１に軸方向に沿って回転自在に取付けた一つ又は複数の支持板２，３，４と、各支持板２，３，４の上面に円周方向に沿って起立した複数の仕切り板Ａ，Ｂ，Ｃ，Ｄと、各仕切り板Ａ，Ｂ，Ｃ，Ｄ間に隔成されたスペースたる複数の物品収納エリアａ，ｂ，ｃ，ｄとからなるものである。
【００２６】
各エリアａ，ｂ，ｃ，ｄにおける支持板上には、使用目的に応じて、別々の多数の物品Ｒが仕分けて置かれており、例えば、ベッドＢＴに座りながら、又は、椅子に座りながら支持板２，３，４を回転し、所望の物品Ｒを手前に移動させながら取出しできるようにしている。
【００２７】
図１および図３の各実施の形態おいて、共通な点を先ず説明すると、  支柱１の高さは、図１に示すように、一段式の場合は、ベッドＢＴに座りながら、又は寝ながら患者、要介護者Ｐ等から支持板２に手が届く範囲の高さに設定しているのが好ましい。
【００２８】
同じく、図３に示すように、多段式の場合は、人Ｔの身長に対応した高さに設定しているのが好ましい。
【００２９】
支持板２，３，４は、図示のように、円盤状であるのか好ましいが、四角形、その他多角形上に成形してあっても良い。
【００３０】
各仕切り板Ａ，Ｂ，Ｃ，Ｄの各上面は、図２および図３に示すように、下り勾配の傾斜面ｈを形成して中心方向に向けて座高を徐々に低くさせている。
【００３１】
このため、ベッドＢＴで座りながら、例えば、支持板２の中心方向を見て支持板２の中心側の奥にある物品Ｒは当該支持板２に目線が遮られずに見分けることができる。
【００３２】
支柱１の下端に固定式の台８又はキャスタ９を取付けた台１０が連結されて固定式又は移動式に床の上に置かれている。
【００３３】
図１および図２のテーブルでは、支柱１に水平な保持板５をリベット１１等の止め具を介して固定し、この保持板５の上面に円周方向に沿って複数のベアリング６を回転自在に設け、上記支持板２の下面を上記ベアリング６上に回転自在に当接させている。
【００３４】
図３および図４のテーブルは、複数の支持板２，３，４のうち、上方の支持板の直径を下方の支持板の直径より順次小さくしている。
【００３５】
このため、図３に示すように、人Ｔが立ったまま、例えば、下方の仕切り板４の上面を見た場合、中間の仕切り板３の外縁で目線が遮られるのが防止され、最下段の仕切り板２上の物品を見分け利己とができる。
【００３６】
図３に示すように、各支持板２，３，４は、ストッパ１２で支持されながらその内周にベアリング７を設け、このベアリング７を介して各支持板２，３，４が支柱１の外周に回転自在に支持されている。
【００３７】
その他の作用効果は、図１の場合と同じである。
【図面の簡単な説明】
【００３８】
【図１】本考案に係るテーブルの斜視図である。
【図２】図１の拡大断面図である。
【図３】他の実施の形態に係るテーブルの斜視図である。
【図４】図３の拡大断面図である。
【符号の説明】
【００３９】
１  支柱
２，３，４  支持板
Ａ，Ｂ，Ｃ，Ｄ  仕切り板
ａ，ｂ，ｃ，ｄ  物品収納エリア
【図１】
0003124089.tif 000003
【図２】
0003124089.tif 000004
【図３】
0003124089.tif 000005
【図４】
0003124089.tif 000006